(57)【要約】  折り畳み式トレイは、第１及び第２ベースセクション（ＢＳ）、横方向サイド部材（ＬＳＭ）及びロック装置を含む。各ＢＳは反対側の横方向エッジ、内側エッジ及び剛性の硬い表面を含む。それらはそれらの内側エッジに沿って隣接し、それらのエッジに沿って、硬い表面が１つの平面内にある拡張位置と、表面が積み重ねられる折り畳み位置との間で折り畳み可能である。ＬＳＭはＢＳのそれぞれの反対側の横方向エッジに沿って取り付けられ、取り付けられたエッジに沿って、ＬＳＭがその取り付けられたＢＳの硬い表面に対してかなりの角度で存在する直立位置と、それが取り付けられたＢＳと一緒に積み重ねられるか、又はその取り付けられたＢＳの硬い表面と同じ平面内にある主表面を有する持ち運び可能な位置との間で折り畳み可能である。ロック装置は係合されている場合にのみＢＳを拡張位置に保持する。【選択図】図１Ａ
2021533867.tif 000002
【特許請求の範囲】
【請求項１】
ベースであって、
それぞれが反対側の横方向エッジ（１１０ｌ、１５０ｌ）、内側エッジ（１１０ｉ、１５０ｉ）、及び剛性の硬い表面（１１４）を含む第１及び第２ベースセクション（１１０、１５０）を含み、
前記第１及び第２ベースセクションが、前記それぞれの内側エッジに沿って互いに隣接しており、前記それぞれの剛性の硬い表面が実質的に１つの平面内にある拡張位置と、前記それぞれの剛性の硬い表面が互いに積み重ねられる完全に折り畳まれた位置との間で、前記隣接する内側エッジに沿って折り畳み可能である、ベースと、
前記ベースセクションのそれぞれの前記反対側の横方向エッジに沿って取り付けられた横方向サイド部材（１２０、１３０、１６０、１７０）であって、
各横方向サイド部材は、それが取り付けられる前記ベースセクションに対して、及びそれぞれに取り付けられた横方向エッジに沿って、前記それぞれの横方向サイド部材が、それが取り付けられている前記ベースセクションの前記剛性の硬い表面に対してかなりの角度で存在する直立位置と、前記それぞれの横方向サイド部材がそのそれぞれのベースセクションに対して積み重ねられているか、又は、それが取り付けられている前記ベースセクションの前記剛性の硬い表面と同じ平面内にある主表面を有する持ち運び可能な位置との間で折り畳み可能である、横方向サイド部材（１２０、１３０、１６０、１７０）と、
ロック装置（１９２）であって、前記ロック装置が係合している場合にのみ、前記第１及び第２ベースセクションを前記拡張位置に保持するロック装置（１９２）と、を備える折り畳み式トレイ。
【請求項２】
前記第１及び第２ベースセクションのそれぞれが、前記それぞれのベースセクションの内側エッジの反対側の遠位エッジ（１１０ｄ、１５０ｄ）を含み、
前記折り畳み式トレイが、前記第１及び第２ベースセクションの前記遠位エッジに沿って取り付けられた外側サイド部材（１４０、１８０）をさらに含み、
前記外側サイド部材のそれぞれは、それが取り付けられる前記ベースセクションに対して、及びそれぞれに取り付けられた遠位エッジに沿って、前記それぞれの外側サイド部材が、それが取り付けられている前記ベースセクションの前記剛性の硬い表面に対してかなりの角度で存在する直立位置と、前記それぞれの外側サイド部材がそのそれぞれのベースセクションに対して積み重ねられているか、又は、それが取り付けられている前記ベースセクションの前記剛性の硬い表面と同じ平面内にある主表面を有する持ち運び可能な位置との間で折り畳み可能である、請求項１に記載の折り畳み式トレイ。
【請求項３】
各横方向サイド部材が遠位エッジ（１２０ｄ、１３０ｄ、１６０ｄ、１７０ｄ）を含み、
各外側サイド部材が反対側の横方向エッジ（１４０ｌ、１８０ｌ）を含み、
前記折り畳み式トレイが少なくとも１つのコーナーロック（１９０）をさらに含み、前記少なくとも１つのコーナーロックは、所与の横方向及び外側サイド部材が直立位置にある間に前記コーナーロックが係合されているときにのみ、前記横方向サイド部材の前記所与の１つの前記遠位エッジを、前記外側サイド部材の前記所与の１つの前記横方向エッジの１つに隣接して保持する、請求項２に記載の折り畳み式トレイ。
【請求項４】
前記少なくとも１つのコーナーロックがタブ（５０４）延長部を含み、前記タブ（５０４）延長部は、
前記コーナーロックが係合されたときに前記タブが前記所与の外側サイド部材と並行して延在するべく折り畳まれるように、前記所与の横方向サイド部材の前記遠位エッジ、又は
前記コーナーロックが係合されたときに前記タブが前記所与の横方向サイド部材と並行に延在するべく折り畳まれるように、前記所与の外側サイド部材の横方向エッジの１つ、
に取り付けられ、それに沿って折り畳み可能である、請求項３に記載の折り畳み式トレイ。
【請求項５】
前記コーナーロックが、オス型突起（５０４）及び相手方メス型受容部（５０６）を含み、それらは、前記タブ、及び、前記折り畳まれたタブが並行に延在する前記所与の外側又は横方向サイド部材の異なる方に配置される、請求項４に記載の折り畳み式トレイ。
【請求項６】
少なくとも前記直立位置において、前記第１及び第２ベースセクションの異なるセクションに取り付けられた横方向サイド部材（１２０／１６０、１３０／１７０）の横方向エッジが互いに向き合うように、前記横方向サイド部材のそれぞれが横方向エッジ（１２０ｌ、１３０ｌ、１６０ｌ、１７０ｌ）を定め、
前記ロック装置は、前記横方向サイド部材の少なくとも一対の前記向き合う横方向エッジをまたぐ、請求項１〜５のいずれか１項に記載の折り畳み式トレイ。
【請求項７】
前記ロック装置が、前記対になった前記横方向サイド部材の一方に固く取り付けられ、前記対になった前記横方向サイド部材の他方に取り外し可能に取り付け可能な可撓性材料を含む、請求項６に記載の折り畳み式トレイ。
【請求項８】
前記ロック装置が、前記剛性表面の反対側で前記第１ベースセクションに配置された剛性ブリッジ（３０２ａ、３０２ｂ）を含み、前記剛性ブリッジは、前記折り畳み式トレイが拡張位置にあるときに、前記剛性ブリッジが完全に前記第１ベースセクションの下にある非係合位置と、前記剛性ブリッジが前記第１及び第２ベースセクションの前記内部エッジをまたぐ係合位置との間を移動可能である、請求項１〜５のいずれか１項に記載の折り畳み式トレイ。
【請求項９】
前記第２ベースセクションに取り付けられた前記横方向サイド部材の一方に取り付けられたヒンジ端（１９４ｈ）、及び自由端（１９４ｆ）を規定するアーム（１９４）と、
前記第１ベースセクションに取り付けられた前記横方向サイド部材の一方に沿って配置されたアームロック（１９６ａ）と、をさらに含み、
前記アームロック及び前記アームの前記自由端は、係合されると前記第１及び第２ベースセクションをＡフレーム配向に保持するように取り外し可能に互いに係合可能である、
請求項１〜８のいずれか一項に記載の折り畳み式トレイ。
【請求項１０】
前記第１及び第２ベースセクションのそれぞれが、前記それぞれのベースセクションの内側エッジの反対側に遠位エッジ（１１０ｄ、１５０ｄ）を含み、
前記折り畳み式トレイがさらに、
前記第１及び第２ベースセクションの前記遠位エッジに沿って取り付けられた外側サイド部材（１４０、１８０）と、
前記外側サイド部材の少なくとも一方に配置され、前記外側サイド部材が取り付けられている前記ベースセクションの前記遠位エッジから離れた突出する棚状突起（１９９）と、を含む、請求項９に記載の折り畳み式トレイ。
【請求項１１】
前記アームロックが第１アームロックであり、前記折り畳み式トレイが、前記第１アームロックが配置された第１位置とは異なる、前記第１ベースセクションに取り付けられた前記横方向サイド部材に沿った第２位置に配置された第２アームロック（１９６ｂ）をさらに含み、
前記第２アームロック及び前記アームの前記自由端は、係合されると前記第１及び第２ベースセクションを、前記Ａフレーム配向よりも狭い又は広いＡフレーム配向で保持するように取り外し可能に互いに係合可能である、請求項９又は１０に記載の折り畳み式トレイ。
【請求項１２】
前記第１及び第２ベースセクションのそれぞれが、前記それぞれのベースセクションの内側エッジの反対側に遠位エッジ（１１０ｄ、１５０ｄ）を含み、
前記折り畳み式トレイが、
前記第１及び第２ベースセクションの前記遠位エッジに沿って取り付けられた外側サイド部材（１４０、１８０）と、
前記第１ベースセクションに取り付けられた前記外側サイド部材に取り付けられたヒンジ端（１９８ｈ）、及び自由端（１９８ｆ）を有するカップストラップ（１９８）と、
前記第１ベースセクションに取り付けられた前記横方向サイド部材の一方に配置され、前記第１ベースセクションに取り付けられた前記外側サイド部材に隣接して配置された第１ロック（１９６ｂ）と、
前記第１ベースセクションに取り付けられた前記外側サイド部材に配置された収納ロック（１９６ｃ）と、をさらに含み、
前記第１ロック及び前記収納ロックがそれぞれ前記カップストラップの前記自由端と取り外し可能に係合可能である、請求項１〜１１のいずれか１項に記載の折り畳み式トレイ。
【請求項１３】
前記カップストラップの前記自由端が複数の平行ピンを定め、そのそれぞれが前記第１ロックと取り外し可能に係合可能である、請求項１２に記載の折り畳み式トレイ。
【請求項１４】
前記第１及び第２ベースセクションのそれぞれが、前記それぞれのベースセクションの内側エッジの反対側に遠位エッジ（１１０ｄ、１５０ｄ）を含み、
前記折り畳み式トレイが、
前記第１及び第２ベースセクションの前記遠位エッジに沿って取り付けられた外側サイド部材（１４０、１８０）と、
前記外側サイド部材に取り外し可能に取り付け可能な自由端を両端に有するシートベルトストラップ（９０２）とをさらに含む、請求項１〜１３のいずれか１項に記載の折り畳み式トレイ。
【請求項１５】
前記シートベルトストラップの前記自由端のそれぞれが穴（９０２ｈ）を規定し、それによって前記自由端は前記折り畳み式トレイが拡張位置にあるときに前記トレイのコーナーロックに取り外し可能に取り付け可能である、請求項１４に記載の折り畳み式トレイ。
【発明の詳細な説明】
【技術分野】
【０００１】
[0001]  記載される発明は、幅広い頑丈な表面を有し、頑丈な表面に実施的に垂直に延び且つ頑丈な表面に対して折り畳み可能なサイドを備える折り畳み式トレイに関する。
【背景技術】
【０００２】
[0002]  トレイは、サイズ及びトレイが作られる材料に応じて、トレイが収容できるサイズと重さのあらゆるタイプの物体を保持又は運搬するために使用される。
【０００３】
[0003]  様々なタイプのトレイが当技術分野で知られており、多種多様な形状及びサイズに及ぶ。例えば、円形、楕円形、正方形、三角形、そして最も一般的には長方形である。トレイは通常、硬質の頑丈な素材から構成されるが、板紙などの硬質さで劣る材料が知られている。板紙トレイの典型的な例は、映画館又はスポーツスタジアムなどで少量の食品を運ぶために一般的に使用されるものであり、潰すことができて使い捨てであり、再利用を意図されていないことを特徴とする。トレイは、平らな表面が望まれる又は必要な場合はいつでも使用され、物をそれに対して置く手段を提供し、食べ物や飲み物、その他の種類の物などそれらの物を運んだり支えたりし、ラップトップコンピュータ又は大人のボードゲーム又は子供の小さなおもちゃを保持するために使用される場合など、食べる、作業をする、又は遊ぶための表面を提供し、ほとんどの場合、様々な高さのエッジが含まれる。トレイは一般的に座っている間に使用され、人の膝で支えられる。トレイテーブルと呼ばれることもある他の特定のトレイには、ユーザがベッドに座っている又は横になっている間の使用に対応するべくトレイをユーザの膝より上に持ち上げるために、又は例えばユーザが立っている間にテーブルトップより上に物を持ち上げるために、延長可能又は調整可能な脚がある。
【０００４】
[0004]  ユーザの膝の上に直接置かれるトレイの一例は、室内装飾品タイプのピローの上部に取り付けられ得る木製又は他の平らな表面を有するラップトップコンピュータトレイである。剛性トレイ、又はそれが取り付けられているピローは、ユーザの膝の上に直接載せられ、ユーザのラップトップコンピュータは平らな硬質表面に置かれるため、ユーザはリクライニングした位置でラップトップコンピュータを操作することができる。脚付きのトレイの一般的な例は、食品が通常置かれる滑らかな剛性の表面が低い側壁で境界を定められる朝食用トレイテーブルである。そのような朝食用トレイは、一般に、ユーザがベッドに座っている間にトレイをユーザの膝を覆って懸架するために、滑らかな剛性表面の反対側でトレイの下から伸びる折り畳み式の脚を有する。低い側壁を備える剛性トレイは、例えば、滅菌された手術器具又は入院患者の食べ物又は薬の配置を保持するために、医学界でも使用されている。通常、医療処置に使用される手術用トレイは、滅菌をより容易にするためにステンレス鋼又は他の金属で構成される。カフェテリア及びファストフードレストランでは、手術用トレイの金属よりもコスト面で有利なため、一般的にプラスチック製の顧客の食品を保持するための低い側壁の同様の形状の剛性トレイをよく使用する。すべての点で、そのような硬質な構造のトレイは、便利に持ち運ぶことができず、特に上記の医療及びカフェテリアの例のような商業的使用とは対照的に、個人による非商業的使用にとって利用可能でも便利でもない可能性がある保管スペースを必要とする。
【０００５】
[0005]  上記の保管の不利な点は、トレイの純然たるサイズに関係している。ユーザのラップトップ、食品、又は手術器具を直接支持する剛性表面は、通常、金属製のクッキーシートに似た一体型の設計であり、これは使用しないときにトレイを保管するために、特に物体が転がったり、滑ったり、落下したりするのを防ぐためにかなり高いサイドエッジを有するトレイを保管するために膨大な量の物理的スペースを必要とする。多くの商業的環境では多くのそのようなトレイが必要であり、非常に小さなサイドエッジで積み重ね可能にすることで保管要件が軽減されるため、この不利な点は、トレイが商業的に頻繁に使用される病院又は他の専門的な環境ではそれほど顕著ではない可能性がある。しかし、積み重ね機能は、商業的環境で使用されないトレイの物理的な保管スペースの問題をあまり大幅に軽減しない。非商業的ユーザは通常、同じタイプのトレイを１つか２つ、場合によっては３つしか持っておらず、より高いサイドエッジを有するためである。上に詳述した朝食用トレイテーブル及びラップトップコンピュータトレイの例を参照されたい。より具体的な例として；夫婦は、個々のトレイテーブルを使用してベッドで朝食を並べて共有できるように、２つの同じ朝食用トレイテーブルを持っている場合があり、又は、住宅オーナーは、ゲストが予想されるときに時々使用するために２枚又は３枚のクッキーシートを持っている場合がある。２つ又は３つのそのようなトレイを積み重ねることは、積み重ねることができない場合よりもベターであるが、物理的な保管スペースの問題は、１つのトレイがあるか、２つ又は３つの積み重ねがあるかにかかわらず、特に非商業的使用に典型的であるようにそのようなトレイが毎日使用されない場合、持続する。当然のことながら、この物理的な保管の問題は、マンション、アパートメント、及びボートなどのより小さな住居でより深刻になる。
【０００６】
[0006]  従来技術のトレイの上記の例に関する別の問題は、一体ボディ設計が可搬性を妨げることである。通勤者は、朝食用サンドイッチを、膝の上に置いたサンドイッチの包み紙ではなく、車の助手席に置いたトレイに置くことを好むことがあり得る。上記の例のトレイの１つを用いてこれを有効にすると、トレイの非使用時に車内に非常に多くのスペースが必要になる。一体ボディ設計のこのような従来技術のトレイはかなりのエッジを有するので、その純然たるサイズは、通勤者がオフィス又は家に到着した後、それをブリーフケースに押し込んでオフィス又は家に運び入れることを妨げる。通勤者は単に助手席にトレイを置いたままにすることができるが、仕事中に同僚又はクライアントを、又は帰宅後に家族を送るために、トランク（trunk/boot）にトレイを移動する必要があり得る。
【０００７】
[0007]  当技術分野で必要とされるのは、潰すことができるが剛性に欠ける可能性がある使い捨ての紙トレイの欠点なしに、保管及び可搬性に関連する上記の問題を軽減するトレイである。これらの教示の実施形態は、折り畳み式トレイを介してそのようにする。
【発明の概要】
【０００８】
[0008]  これらの教示の第１態様によれば、ベース、横方向サイド部材、及びロック装置を含む折り畳み式トレイが存在する。ベースは、それぞれが反対側の横方向エッジ（１１０ｌ、１５０ｌ）、内側エッジ（１１０ｉ、１５０ｉ）、及び剛性の硬い表面（１１４）を含む第１及び第２ベースセクション（１１０、１５０）を含む。第１及び第２ベースセクションは、それぞれの内側エッジに沿って互いに隣接しており、それぞれの剛性の硬い表面が実質的に１つの平面内にある拡張位置と、それぞれの剛性の硬い表面が互いに積み重ねられる完全に折り畳まれた位置との間で、前記隣接する内側エッジに沿って折り畳み可能である。横方向サイド部材（１２０、１３０、１６０、１７０）が、ベースセクションのそれぞれの反対側の横方向エッジに沿って取り付けられ、ここで各横方向サイド部材は、それが取り付けられるベースセクションに対して、及びそれぞれに取り付けられた横方向エッジに沿って、それぞれの横方向サイド部材が、それが取り付けられているベースセクションの剛性の硬い表面に実質的に垂直である直立位置と、それぞれの横方向サイド部材がそれぞれのベースセクションに対して積み重ねられているか、又は、それが取り付けられているベースセクションの剛性の硬い表面と同じ平面内にある主表面を有する持ち運び可能な位置との間で折り畳み可能である。ロック装置は、前記ロック装置が係合している場合にのみ、第１及び第２ベースセクションを拡張位置に保持する。
【０００９】
[0009]  本発明のこれら及び他の態様は、入念に以下でさらに詳述される。
【図面の簡単な説明】
【００１０】
【図１Ａ】これらの教示の特定の実施形態による、拡張位置にある折り畳み式トレイの斜視線画である。
【図１Ｂ】図１Ａと同一であるが、折り畳み式トレイの特定の側面をより良く示すために陰影が付けられ、さらに例示的な特徴を追加的に示す。
【図２Ａ】図１Ａの折り畳み式トレイの斜視線画であるが、サイド部材がベース部材と平らになるように延ばされている。
【図２Ｂ】図２Ａと同一であるが、例示的な折り畳み式トレイの特定の側面をより良く示すために陰影が付けられている。
【図３Ａ】ベースセクションにまたがるロック装置の例示的な実施形態を示すためにトレイが上下逆さまに反転されていることを除いて図２Ａと同様の折り畳み式トレイの斜視図である。
【図３Ｂ】ベースセクションにまたがるロック装置の例示的な実施形態を示すためにトレイが上下逆さまに反転されていることを除いて図２Ａと同様の折り畳み式トレイの斜視図である。
【図４Ａ】ベースセクションが相互に積み重ねられた関係に折り畳まれた、持ち運び可能な位置にある折り畳み式トレイの実施形態を示す斜視図である。
【図４Ｂ】ベースセクションが相互に積み重ねられた関係に折り畳まれた、持ち運び可能な位置にある折り畳み式トレイの実施形態を示す斜視図である。
【図５Ａ】図４Ｂの挿入図部分の斜視図であり、コーナーロック１９０の特定の実施形態の詳細を示す。
【図５Ｂ】図４Ｂの挿入図部分の斜視図であり、コーナーロック１９０の特定の実施形態の詳細を示す。
【図６Ａ】Ａフレーム配向にある例示的な折り畳み式トレイ１００の斜視図を線画で示す。
【図６Ｂ】Ａフレーム配向にある例示的な折り畳み式トレイ１００の斜視図を陰影付きで示す。
【図６Ｃ】図６Ａ−図６Ｂに示されるアームのヒンジ端の例示的な実施形態の詳細を示す。
【図７】様々な例示的な実施形態による、完全に拡張された位置にある３つの折り畳み式トレイ１００のうちの１つの高さを上げるように配置されたそれらの斜視図である。
【図８Ａ】完全に拡張された位置にあり、カップを保持するために展開されたカップストラップ１９８の実施形態を備えた例示的な折り畳み式トレイの斜視図を示す。
【図８Ｂ】格納位置にある図８Ａのカップストラップの詳細を示す。
【図８Ｃ】動作位置にある図８Ａのカップストラップの詳細を示す。
【図９Ａ】トレイのコーナーに取り付けられた取り外し可能なシートベルトストラップを備えた、完全に拡張された位置にある例示的な折り畳み式トレイの斜視図である。
【図９Ｂ】シートベルトストラップの自由端をトレイのコーナーロックに取り付けるための例示的な実施形態の詳細を示す斜視図である。
【図９Ｃ】シートベルトストラップの使用例を示す斜視図である。
【発明を実施するための形態】
【００１１】
[0025]  これらの教示の実施形態は、剛性プラスチックなどの単一の平らな材料から形成された折り畳み式トレイを包含し、そのような実施形態では、本明細書に記載の様々なエッジは、本明細書に記載の折り畳みを可能にするために予め形成された折り目であり得る。他の実施形態は、金属又は薄い木材材料で形成された以下に記載のベース及びサイド部材を包含し得、ここで、様々に記載された部材は、互いに別個に形成され得、布、ケブラー、炭素繊維、シリコーン及び同様のものなどのオーバーレイ材料を使用して記載されたエッジに沿って一緒に結合され得る。これに関して、本記載は、エッジを有するベース及びサイド部材として、折り畳み式トレイの特定の要素に言及しているが、上記の例のように、そのようなエッジは、一体の平らな材料片に作製された折り目であり得るか、又は、最終トレイにおいて取り付けられている部材とは別に元々形成されていた部材の終端を定め得る。より一般的には、本明細書の記載は例示的であり、本明細書のより広い教示に対する限定ではない。
【００１２】
[0026]  本明細書に開示される折り畳み式トレイは様々な用途を有し、例えば、食事をしたり、ポータブル電子デバイスで仕事をしたりするための平らで清潔で持ち運び可能な表面を提供し、又は別の例では、医療処置用の器具を保持するための無菌表面を提供する。
【００１３】
[0027]  本明細書に開示される折り畳み式トレイは様々な用途を有し、例えば、食事をしたり、ポータブル電子デバイスで仕事をしたりするための平らで清潔で持ち運び可能な表面を提供し、又は別の例では、医療処置用の器具を保持するための無菌表面を提供する。
【００１４】
[0028]  図１Ａは、拡張位置にあるそのような折り畳み式トレイ１００の実施形態の斜視線画であり、図１Ｂは、同一であるが、陰影を付け、特定の実施形態に存在し得る追加の特徴を示す。図２Ａは、図１Ａの折り畳み式トレイの斜視線画であるが、サイド部材がベース部材と平らであるように広げられている。この点に関して平らであるとは、所与のサイド要素の主表面が、それが取り付けられているベース部材の剛性表面と実質的に同じ平面にあることを意味し、以下でさらに詳述されるように、実質的に同じ平面の１５度以内を指す。図２Ｂは、図２Ａと同一であるが、陰影付きである。図２Ａ〜図２Ｂの向きは、カップストラップ１９８によって証明されるように、図１Ｂの向きと反対であることに留意されたい。
【００１５】
[0029]  図１Ａ〜図２Ｂを参照すると、トレイのベースは、第１ベースセクション１１０、第２ベースセクション１５０、及びサイド部材１２０、１３０、１４０、１５０、１６０を含む。第１ベースセクション１１０は、内部エッジ１１０ｉ、反対側の遠位エッジ１１０ｄ、及び２つの反対側の横方向エッジ１１０１によって境界を定められている。これらの同じエッジはまた、トレイ１００が使用されているときにユーザの食品又は他のアイテムを保持するための剛性の硬い表面１１４の境界を定めている。第１外側サイド部材１４０は、その第１外側サイド部材１４０の内側エッジ１４０ｉに沿って、第１ベースセクション１１０の遠位エッジ１１０ｄに取り付けられる。第１横方向サイド部材１２０及び第２横方向サイド部材１３０は、それらのそれぞれの横方向サイド部材１２０、１３０のそれぞれの内側エッジ１２０ｉ、１３０ｉに沿って第１ベースセクション１１０の横方向エッジ１１０ｌに取り付けられる。第１横方向サイド部材１２０及び第２横方向サイド部材１３０のそれらの内側エッジ１２０ｉ、１３０ｉのそれぞれは、第１ベースセクション１１０の横方向エッジ１１０ｌの１つに隣接し、第１横方向サイド部材１２０及び第２横方向サイド部材１３０は、それらの隣接するエッジに沿って第１ベースセクション１１０に対して折り畳まれる。同様に、第１外側サイド部材１４０の内側エッジ１４０ｉは、第１ベースセクション１１０の遠位エッジ１１０ｄに隣接し、その結果、第１外側サイド部材１４０もまた、それらの隣接するエッジに沿って第１ベースセクション１１０に対して折り畳まれる。上記のように、これらの隣接するエッジは、特定の実施形態では、トレイ１００が作製されるシート材料の予め作製された折り目として定めることができ、ここで、予め作製された１つ又は複数の折り目は、記載されているように、異なる部材１１０、１２０、１３０、１４０を互いに対して折り畳むことを容易にする。
【００１６】
[0030]  図１Ａ及び図２Ｂに最もよく示されるように、第１外側サイド部材１４０はさらに２つの反対側の横方向エッジ１４０ｌを規定し、第１横方向サイド部材１２０及び第２横方向サイド部材１３０はそれぞれ、トレイ１００が図１Ａ〜図１Ｂの拡張位置にあるときにそれらの横方向エッジ１４０ｌに隣接する遠位エッジ１２０ｄ、１３０ｄを規定する。第１横方向サイド部材１２０及び第２横方向サイド部材１３０はさらに、それらのそれぞれの遠位エッジ１２０ｄ、１３０ｄの反対側の横方向エッジ１２０ｌ、１３０ｌを規定し（図１Ａを参照されたい）、それらのそれぞれの内側エッジ１２０ｉ、１３０ｉの反対側の外側エッジ１２０ｏ、１３０ｏを規定する（図２Ａを参照されたい）。
【００１７】
[0031]  第２ベースセクション１５０は、第１ベースセクション１１０と実質的に同様であり、内部エッジ１５０ｉ、遠位エッジ１５０ｄ及び２つの横方向エッジ１５０ｌを有する。第２ベースセクション１５０に取り付けられるのは、内側エッジ１８０ｉ、外側エッジ１８０ｏ、及び２つの横方向エッジ１８０ｌを備える、第１遠位サイド部材１４０と同様の第２遠位サイド部材１８０である。第１ベースセクション１１０に取り付けられた第１横方向サイド部材１２０及び第２横方向サイド部材１３０と同様に、同じく第２ベースセクション１５０に取り付けられているのは、第３横方向サイド部材１６０及び第４横方向サイド部材１７０であり、それらはそれぞれの内側エッジ１６０ｉ、１７０ｉ、外側エッジ１７０ｏ、１８０ｏ、遠位エッジ１７０ｄ、１８０ｄ、及び横方向エッジ１７０ｌ、１８０ｌを規定する。これに関して、これまでに記載した範囲で、サイド部材１６０、１７０、１８０を有する第２ベースセクション１５０は、実質的に、サイド部材１２０、１３０、１４０を有する第１ベースセクション１１０の鏡像である。以下に記載する特定の実施形態の特定の追加機能は、その鏡像に固執せず、例えば、カップストラップ１９８、アーム１９４、ロック１９６ａ／ｂ、及び棚状突起１９９は、本明細書で特に記載する実施形態において鏡像化されない。鏡像機能は、鏡像化された構成要素の寸法が同一であることを示唆するが、必須ではないことに注意されたい。例えば、本明細書の図は、第１ベースセクション１１０及び第２ベースセクション１５０が、サイズが同一又は実質的に同一であることを示唆しているが、それは本明細書のより広い教示に対する限定ではない。これらのセクション１１０、１５０間、又は他の鏡像化されたサイド部材間のサイズのいくらかの差異は、保管のためにトレイ１００がどれだけ小さく折り畳まれるかへの影響を最小限に抑えながら、他の利点を利用し得る。
【００１８】
[0032]  トレイ１００が図１Ａ〜図１Ｂで示される拡張位置にあるとき、第１ベースセクション１１０及び第２ベースセクション１５０の内部エッジ１１０ｉ、１５０ｉは、異なるベースセクション１１０、１５０に取り付けられた横方向サイド部材対の横方向エッジと同様に、互いに向き合っている。すなわち、第１横方向サイド部材１２０及び第３横方向サイド部材１６０はそのような対を形成し、それらのそれぞれの横方向エッジ１２０ｌ、１６０ｌは、図１Ａが特に示すように拡張位置にあるときに互いに向き合う。第２横方向サイド部材１３０及び第４横方向サイド部材１７０は、別のそのような対を形成し、トレイ１００が拡張位置にあるとき、それらのそれぞれの横方向エッジ１３０ｌ、１７０ｌは互いに向き合う。この向き合う関係は、図２Ａ〜図２Ｂに示される平らな位置においても当てはまり、ゆえに図１Ａ〜図１Ｂの拡張位置は、これらのベースセクション１１０、１５０の剛性の硬い表面１１４が実質的に同じ平面にあるときに、横方向サイド部材１２０、１３０、１６０、１７０がベースセクション１１０、１５０の剛性の硬い表面１１４に対して直立していると定義される。図示の実施形態は、図１Ａ〜図１Ｂのベースセクション１１０、１５０に垂直である横方向サイド部材１２０、１３０、１６０、１７０を示しているが、いくつかの実施形態は、拡張位置にある間に積み重ねを容易にするために、それらを、図２Ａ〜図２Ｂに示される平らな位置から９０度未満の角度で配置し得る。これに関して、横方向サイド部材１２０、１３０、１６０、１７０がベースセクション１１０、１５０の剛性の硬い表面１１４に対して直立していることは、それらの間にかなりの角度、例えば、図２Ａ〜図２Ｂに示される平らな位置と比較して少なくとも３０度、好ましくは少なくとも４５度があることを意味する。
【００１９】
[0033]  ベースセクション１１０、１５０の剛性の硬い表面１１４に対して垂直であろうと、減少した角度であろうと、ロック位置において、実質的に同じ平面内に第１ベースセクション１１０及び第２ベースセクション１５０の剛性表面１１４を保持するロック装置１９２が存在する。解除位置では、このロック装置１９２は、それらのベースセクション１１０、１５０がそれらの隣接する内部エッジ１１０ｉ、１５０ｉに沿って折り畳まれることを可能にする。以下に開示されているのは、ロック装置１９２を実装するための異なる例であり、互いに隣接している一対の横方向サイド部材１２０／１６０、１１０／１７０に沿って配置されている例（少なくともトレイが拡張されている直立位置にあるとき）、及び、ベースセクション１１０、１５０の一方又は両方に沿って配置される例である。
【００２０】
[0034]  図１Ａ〜図１Ｂに示される実施形態について、このロック装置１９２は、異なるベースセクション１１０、１５０に取り付けられた横方向サイド部材の対（横方向サイド部材１２０及び１６０について示される）の少なくとも１つの向き合う横方向エッジ１２０ｌ／１６０ｌ、１３０ｌ／１７０ｌにまたがる。これは、様々な方法で具体化することができ、例えば、図１Ａ〜Ｂに示されるような隣接するサイド部材内に規定された穴を通過するループに管状材料を形成するように互いに取り外し可能にインターロックする２つの端部を定める軟質プラスチック又はシリコーンなどのジップタイ又は可撓性の中実又は中空管状材料など、対の横方向サイド部材の一方又は両方に挿入可能であり且つそれから除去可能である半可撓性ループで具体化することができる。ロック装置１９２の他の例示的な実施形態は以下のものを含む。対の他方の横方向サイド部材上の相補的なメス型受容部／オス型タブと嵌合するオス型タブ又はメス型受容部を有する可撓性布又はプラスチックストラップ、所与の対の横方向サイド部材の一方（又は両方）に固定され、対の横方向サイド部材のフックアンドループファスナ（例えばベルクロ（登録商標））に取り外し可能に取り付け可能な可撓性布又はプラスチックストラップ、それらの隣接エッジの近くの各横方向サイド部材の穴にスライドするスライド式バーラッチ又はＵ字形コネクタなどのスライド式コネクタ、図５Ａ〜Ｂに詳しく描かれるコーナーロック１９０と同様の種類の対向する横方向サイド部材上の受容部／タブに相補的なオス型タブ／メス型受容部を有する一方の横方向サイド部材のタブ延長部などの折り畳み式コネクタ（例えば留め金又はラッチに重なる）、又は相手方受容部が対の対向する横方向サイド部材に取り付けられている、ロック位置に出入りするように回転する対の一方（又は両方）の横方向サイド部材に回転可能に取り付けられたラッチ（例えば、フック及びアイラッチ機構）、又は、対の他方の横方向サイド部材に取り付けられた受容部にスライドする対の一方の横方向サイド部材に取り付けられたフラットバー。ロック装置１９２はまた、磁石と金属の間、又は所与の横方向サイド部材対の横方向エッジ１２０ｌ、１６０ｌの近くにそれぞれ埋め込まれた２つの磁石の間の磁場などの非機械的メカニズムとして具体化され得る。ロック機構のこれらの実施形態では、横方向サイド部材の対の間のロックは、ロック解除又は他の方法で切断されたときに、すべての横方向サイド部材１２０、１３０が、それぞれのベースセクション１１０、１５０に対して折り畳まれることを可能にする。横方向サイド部材１２０／１３０のこの折り畳みは、ベースセクション１１０、１５０が折り畳まれていないときに互いに向き合うそれらの内部エッジ１１０ｉ、１５０ｉに沿って、ベースセクション１１０、１５０が互いに対して折り畳まれることを可能にする。
【００２１】
[0035]  ロック装置１９２の他の実施形態は、第１ベースセクション１１０及び／又は第２ベースセクション１５０自体に配置され得る。図３Ａ〜図３Ｂは、図２Ａと同様であるが、この例示的な実施形態を説明するために、トレイは上下逆さまに反転されている。一実施形態では、剛性の硬い表面１１４の一方又は両方の反対側にトレイ１００の下側に取り付けられた１つ又は複数の剛性のスライド式ブリッジ（図３Ａ）又は回転式ブリッジ（図３Ｂ）があり、このスライド式又は回転式ブリッジが、ベースセクション１１０、１５０の向き合う内部エッジ１１０ｉ、１５０ｉにまたがるように延ばされる又は回転されると、それらの剛性の硬い表面１１４を実質的に同じ平面に保持し、ベースセクション１１０、１５０の１つだけの下にあるようにブリッジが後退又は回転されると、トレイは、それらの隣接する内部エッジ１１０ｉ、１５０ｉに沿って自由に折り畳むことができる。図３Ａの例によって示されるスライド式の実施形態については、スライド式ブリッジ３０２Ａは、双方向矢印によって示されるように、ベースセクション１１０、１５０のうちの１つの下側に取り付けられたポケット３０４にスライドして入り、部分的にポケット３０４からスライドして出得る。図３Ｂの例によって示される回転式の実施形態については、回転式ブリッジ３０２ｂは、取り付けピン３０６を介して一方のベースセクション１１０に取り付けられ、そのピンの周りで、ブリッジが向き合う内部エッジ１１０ｉ、１５０ｉにまたがって剛性の硬い表面１１４を実質的に同じ平面に保持する破線の輪郭で図３Ｂに示される第１位置と、隣接する内部エッジ１１０ｉ、１５０ｉに沿って折り畳むためにトレイを解放する、回転式ブリッジ３０２ｂがベースセクション１１０、１５０の一方のみの下に完全にある第２位置との間で回転可能であり得る。一貫性を保つために、スライド式ブリッジ３０２ａの第１位置は伸長位置であり、第２位置はポケット３０４に後退され、その結果、両方の場合において、第１位置はトレイが開いた状態でロックされ、第２位置はロック装置がトレイの折り畳みを妨害しないようにロック解除される。そのようなスライド式又は回転式ブリッジ３０２ａ、３０２ｂは、アルミニウム、木材、炭素繊維、プラスチック及び同様の物などの剛性の平らな材料で構築され得、ブリッジを構成する追加の材料層にもかかわらず、第１ベースセクション１１０及び第２ベースセクション１５０が相互に平らに折り畳まれることを可能にする。横方向サイド部材に配置されたロック装置の実施形態とは異なり、ロック装置が、直ぐ上のスライド式ブリッジ３０２ａ又は回転式ブリッジ３０２ｂなど、ベースセクション１１０、１５０の一方又は両方に完全に実装される場合、横方向サイド部材１２０、１３０をそれぞれのベースセクションに対して最初に折り畳むことなく、ベースセクション１１０、１５０をそれらの内部エッジ１１０ｉ、１５０ｉに沿って相互に折り畳むことが可能である。
【００２２】
[0036]  図４Ａ〜図４Ｂは、両方のベースセクション１１０、１５０がそれぞれの内側エッジ１１０ｉ、１５０ｉに沿って折り畳まれ、それぞれの剛性の硬い表面１１４が相互に積み重ねられる完全に折り畳まれた位置にあるトレイ１００の異なる斜視図を示す。また、この完全に折り畳まれた位置では、横方向サイド部材１２０、１３０、１６０、１７０のそれぞれは、それが取り付けられているベースセクション１１０、１５０に対して、その横方向エッジ１２０ｌ、１３０ｌ、１６０ｌ、１７０ｌに沿って折り畳まれ、その結果、それぞれの横方向サイド部材の主表面が、それが取り付けられているベースセクション１１０、１５０の剛性の硬い表面１１４と同じ平面にあることに留意されたい。便宜上、これを持ち運び可能な位置と呼ぶ。横方向サイド部材と同様に、持ち運び可能な位置の場合、２つの外側サイド部材１４０、１８０もまた、それぞれの外側サイド部材１４０、１８０の主表面が、それが取り付けられているベースセクションの剛性の硬い表面１１４と同じ平面に位置するように、それぞれの内側エッジ１４０ｉ、１８０ｉに沿って折り畳むことができる。
【００２３】
[0037]  他の実装では、完全に折り畳まれた位置は、それが取り付けられているベースセクション１１０、１５０に対して積み重ねられた関係で各横方向サイド部材１２０、１３０、１６０、１７０を有し得る。この実装は、完全に折り畳まれた位置について長さ及び幅のより短いスパンを規定し、図４Ａ〜図４Ｂが示す高さの２つの層を超える高さを規定し得る。横方向サイド部材１２０、１３０、１６０、１７０が、それらがそれぞれ取り付けられているベースセクション１１０、１５０に対して積み重ねられた関係にあるようにトレイ１００を折り畳むことは、それぞれの横方向サイド部材が、図４Ａ〜図４Ｂが示すように取り付けられたベースセクションの剛性の硬い表面１１４と同じ平面に置かれる向きを介して移行することを伴い得る。２つの外側サイド部材１４０、１８０はまた、この実装における外側サイド部材と同様に、それぞれの内側エッジ１４０ｉ、１８０ｉに沿って折り畳むことができ、これもまた、図４Ａ〜図４Ｂに具体的に示される向きを介して移行する。すべてのサイド部材がベースセクション１１０、１５０と積み重ねられた関係に折り畳まれる場合、完全に折り畳まれた位置は、１つのベースセクションの長さ及び幅以下に及ぶであろう（本明細書に示されるように、同じサイズの２つのベースセクションしかないことを仮定した場合）。
【００２４】
[0038]  これに関して、実質的に同一のサイズの２つのベースセクション１１０、１５０を含むトレイは、非限定的な実施形態である。他の実施形態では、３つ以上のベースセクションが存在し得、各ベースセクションは、持ち運び可能な平らな位置を達成するために他のベースセクションと積み重なるように折り畳み可能である。これらの実施形態の多くについて、以下のいずれか又は両方について少なくとも１つの内部又は外部ロック装置１９２が存在する：ａ）トレイが拡張位置にあるときに相互に向き合う隣接する横方向サイド部材対１３０／１７０、１２０／１６０の横方向エッジ１３０ｌ／１７０ｌ、１２０ｌ／１６０ｌの各対；ｂ）トレイが拡張位置にあるときに相互に向き合う隣接するベースセクション１１０／１５０の内部エッジ１１０ｉ／１５０ｉの各対。図１Ａは、任意選択ａ）ロック装置の例を示し、図３Ａ〜Ｂは、任意選択ｂ）ロック装置の例を示している。
【００２５】
[0039]  図５Ａ〜図５Ｂは、図４Ｂに挿入図として示される折り畳みトレイ１００の一部の斜視図であり、図１Ａがロック位置で示すコーナーロック１９０の特定の実施形態の詳細を示す。図５Ａは透過的に示し、図５Ｂは、陰影を付けて示している。この実施形態では、コーナーロック１９０は、拡張トレイ１００の各コーナーにあり、タブ５０２が折り畳み可能に取り付けられる横方向サイド部材１２０、１３０、１６０、１７０の遠位エッジ１２０ｄ、１３０ｄ、１６０ｄ、１７０ｄを越えて延びるタブ５０２として実装される。それぞれの横方向サイド部材１２０、１３０、１６０、１７０及びその隣接する外側サイド部材１４０、１８０が、それらのそれぞれのエッジ１２０ｄ／１４０ｌ、１３０ｄ／１４０ｌ、１７０ｄ／１８０ｌ、１６０ｄ／１８０ｌが互いに隣接するように折り畳まれると、それぞれのタブ５０２は、それらの隣接するエッジの周りに折り畳まれ、それぞれの外側サイド部材１４０、１８０に取り外し可能に取り付けられる。同等に、タブ５０２の１つ又はいくつか又はすべては、外側サイド部材１４０、１８０に折り畳み可能に取り付けられ、それらの横方向サイド部材１２０、１３０、１６０、１７０に取り外し可能に取り付けられるようにそれらの隣接するエッジの周りに折り畳まれる。示されるように、オス型突起５０４及び相補的なメス型受容部が、一方が他方に適合するようにそれぞれの外側サイド部材１４０、１８０及び横方向サイド部材１２０、１３０、１６０、１７０に配置され、これらのサイド部材を図１Ａが示すようなロック位置に保持するようにコーナーロック１９０をロックする。
【００２６】
[0040]  コーナーロック１９０の他の例示的な実施形態は、横方向サイド部材の遠位エッジ１２０ｄ、１３０ｄ、１６０ｄ、１７０ｄの近く、又は外側サイド部材１４０、１８０の横方向エッジ１４０ｌ、１８０ｌの近くに取り付けられた固定端を有し、及び、それぞれの隣接するエッジ１２０ｄ／１４０ｌ、１３０ｄ／１４０ｌ、１７０ｄ／１８０ｌ、１６０ｄ／１８０ｌの周りに折り畳まれたときに、フックアンドループ（例えば、ベルクロ（登録商標））ファスナを介してなど、外側又は横方向サイド部材の他方に取り外し可能に取り付け可能な自由端を有する布又はプラスチックストリップを含む。上に詳述したタブ５０２の実施形態はまた、図示のオス型突起５０４及びメス型受容部５０６の代わりにフックアンドループファスナを用いて実装され得る。コーナーロック１９０のさらなる例は、外側及び横方向サイド部材にそれらの隣接エッジの近くで埋め込まれた複数の磁石又は１つの磁石及び磁性金属を含む。コーナーロック１９０は、隣接する横方向サイド部材１２０／１６０、１３０／１７０の間にロック装置１９２について上で詳述した例のいずれかと同様に実装することができるが、コーナーロック１９０に実装する場合、Ｕ字形コネクタは実質的に平面ではない可能性があることに留意されたい。コーナーロック１９０がフック及びアイラッチ機構として実装される場合、フックは、隣接する横方向又は遠位エッジの近くに取り付けられたフックがアイとロックした関係に回転され得る又はその関係から外れ得るように、横方向サイド部材の遠位エッジ又は外側サイド部材の横方向エッジを越えて延びるであろう。留め金機構は、留め金の可動部分を受け入れる固定部分がそれらの同じエッジを越えて延びるように同様に実装され得るか、或いは可動部分は、固定部分と取り外し可能に係合するように、それぞれのサイド部材の隣接する遠位及び横方向エッジの周りに延在し得る。コーナーロック１９０の図示の例は、記載されたサイド部材の外向きの表面に配置された機構を有するが、他の実施形態では、それらは、トレイ１００が拡張位置にあるときにそれらが折り畳み可能に取り付けられるベースセクション１１０、１５０の剛性の硬い表面１１４隣接して横たわるこれらの同じサイド部材の内向きの表面に配置され得る。コーナーロック１９０が、取り外し可能にインターロックする端部を備えた、ある長さの可撓性管状材料として実装される場合、ロックされると、この管状材料の異なるセクションは、内向き及び外向きの両方の表面にわたって延び得る。
【００２７】
[0041]  図６Ａ〜図６Ｂは、それぞれ線画と陰影付きで、Ａフレーム配向に折り畳まれた折り畳み式トレイ１００の同様の斜視図を示す。それぞれは以下のものを示す。第１ベースセクション１１０の内側エッジ１１０ｉに隣接する内側エッジ１５０ｉを有する第２ベースセクション１５０、ヒンジ端１９４ｈでそれに取り付けられたアーム１９４とオス型突起５０４を備えたタブ５０２延長部とを有する横方向サイド部材１６０、１７０、棚状突起１９９を支持する外側サイド部材１８０、及び第１ベースセクションに取り付けられ、アームロック１９４ａ及び併用ロック１９４ｂを支持する横方向サイド部材１２０のうちの１つ。これらの図は、ラップトップコンピュータ又はタブレットを読み取りのために主に直立した位置に保持するのに便利なＡフレーム配向の折り畳み式トレイ１００を示している。これに関して、棚状突起１９９は、コンピュータデバイスがトレイ１００の外側サイド部材１８０から滑り落ちるのを防ぐことによって、コンピュータデバイスを所定の位置に保持する。図６Ａは、アーム１９４の自由端１９４ｆがアームロック１９４ａに取り付けられている狭いＡフレーム配向を示している。アームロック１９４ａは、同じ横方向サイド部材１２０上の併用ロック１９４ｂと比較して、そのアームロック１９４ａがそこにある横方向サイド部材１２０の横方向エッジ１２０ｌの近くに配置されている。図６Ｂは、アーム１９４の自由端１９４ｆが併用ロック１９４ｂに取り付けられている広いＡフレーム配向を示している。アームロック１９４ａ及び併用ロック１９４ｂは、それらが配置される位置を除いて、物理的に同一であり得、異なる用語を使用して、折り畳み式トレイ１００の特定の実施形態についてそれらを区別し、ここで、併用ロック１９４ｂは、図８Ａ〜図８Ｃに関して以下に詳述するように二重の用途を有する。アーム１９４の自由端１９４ａ及びアームロック１９４ａ／併用ロック１９４ｂは、取り外し可能なロック機構を形成し、その一例がピンアンドホール構成として図８Ｂ〜図８Ｃに示されている。他の構成、例えば、ロック装置１９２及びコーナーロック１９０について上で詳述したロック構成をこのロック機構に利用することができるが、タブ５０２の実施形態は、アーム１９４／ロック１９４ａ〜１９４ｂ構成のあまり実用的でない実装と見なされる。
【００２８】
[0042]  図６Ｃは、アーム１９４のヒンジ端１９４ｈの例示的な実装及び横方向サイド部材１６０へのその接続の詳細な透明図である。この非限定的な実施形態では、ヒンジ端１９４は、横方向サイド部材１６０から伸長し、その中に後退する固定ピン１９４ｐを定める。図６Ｃに示される伸長位置において、アーム１９４のヒンジ端１９４ｈは、ピン１９４ｐの中心軸の周りで自由に回転するが、後退位置では、横方向サイド部材１６０自体がアーム１９４の回転を防止する。この点に関して、ヒンジ端１９４は、アーム１９４が、アーム１９４が横方向サイド部材に隣接して位置する第１位置から、及び、アーム１９４がその位置から回転され、横方向サイド部材１６０に隣接しない第２位置から回転することを可能にする。特に示される実施形態では、第１位置について、アーム１９４は横方向サイド部材１６０によって規定される凹部内で入れ子になっている。
【００２９】
[0043]  図７は、既に詳述した実施形態による３つの折り畳み式トレイ１００の斜視図である。図７は、２つのトレイ１００が広いＡフレーム配向に折り畳まれ、それらの外側サイド部材１４０、１８０が互いに当接するように配置された場合、それぞれのベースセクション１１０、１５０の内部エッジ１１０ｉ、１５０ｉによって規定されるピーク間の距離が、完全に拡張された位置にある折り畳み式トレイ１００の最大スパンよりも小さいスパンであることを示している。これにより、３つのトレイが図７の構成を形成することが可能になり、これは、Ａフレーム配向の２つのトレイを支持する表面より上に完全に拡張されたトレイの高さを上げるのに役立つ。図７は、横方向サイド部材の横方向エッジ１３０ｌ、１７０ｌによって規定されるピークを具体的に示し、これらのピークは、ベースセクション１１０、１５０の内部エッジ１１０ｉ、１５０ｉによって規定されるピークと一致していることに注意されたい。
【００３０】
[0044]  図８Ａは、完全に拡張された位置にあり、カップを保持するためにカップストラップ１９８が伸ばされた状態の折り畳み式トレイの斜視図を示している。図８Ｂは、格納位置にあるカップストラップ１９８を示す独立した図であり、図８Ｃは、カップを保持するために動作位置にあるカップストラップ１９８を示す独立した図である。図８Ａは、完全に拡張された位置にあるトレイ１００のベースセクション１１０、１５０及びサイド部材１２０、１３０、１４０、１６０、１７０、１８０を示し、ここでカップストラップ１９８のヒンジ端１９８ｈは外側サイド部材１４０の１つに取り付けられ、自由端１９８ｆは隣接する横方向サイド部材１３０に配置された併用ロック１９８ｂに取り付けられている。
【００３１】
[0045]  図８Ｂは、自由端１９８ｆが収納ロック１９４ｃにロックされる収納位置にあるカップストラップ１９８を示しており、収納ロック１９４ｃは併用ロック１９６ｃと同様の種類であるが、カップストラップ１９８のヒンジ端１９８ｆが取り付けられているのと同じ外側サイド部材１４０に配置されている。図８Ｃは、この自由端１９８ｆが併用ロック１９６ｃにロックされている動作位置にあるカップストラップ１９８を示している。特に図８Ｂ〜図８Ｃに示されるように、この実装では、自由端１９８ｆは、１つ又は複数の突出ピンを規定し、併用ロック１９６ｂ及び収納ロック１９６ｃのそれぞれは、収納位置及び動作位置においてカップストラップ１９８をロックするためにこれらのピンのいずれか１つを挿入できる相補的な穴を規定する。示されているように複数のピンは、カップストラップ１９８が動作位置にあるときに、異なるサイズのカップをよりよく固定する。
【００３２】
[0046]  図９Ａ〜図９Ｃは、任意選択の取り外し可能なシートベルトストラップ９０２を示している。図９Ａは、完全に拡張された位置にある折り畳み式トレイ１００のコーナーロック１９０に取り付けられたシートベルトストラップ９０２を示している。シートベルトストラップ９０２は、２つの自由端を規定し、好ましくは布材料でできており、長さ調整装置９０２ａをさらに含み得る。図９Ｂに詳しく描かれるように、シートベルトストラップ９０２の各自由端は、コーナーロック１９０のオス型突起５０４がメス型受容部５０６と嵌合するように延びる穴９０２ｈを規定するゴム又はプラスチック先端９０２ｔを有し得る。シートベルトストラップ９０２の自由端を折り畳み式トレイ１００に取り外し可能に取り付けるための他の非限定的な実装は、留め金、フックアンドループファスナ、及びばね荷重クリップを含む。これらのいずれも、図９Ａ〜図９Ｃの例のように、トレイのコーナーに、又は外側サイド部材１４０、１８０に、それらのそれぞれの横方向エッジ１４０ｌ、１８０ｌの間で特に取り付けることができる。図９Ｃは、シートベルトストラップ９０２が車両シートの後ろに延びる好ましい使用例を示している。このようにして、自由端がトレイ１００に取り付けられたシートベルトストラップ９０２は、車両が動いている間にトレイ１００がその座席に座っている人の膝から滑り落ちるのを防ぎ、又は車両が減速するときなど、少なくともそれが人の前方に及び人から離れて滑り出すことのないようにする。少なくともこの使用例では、シートベルトストラップ９０２の自由端がトレイ１００に取り付けられる機構は、トレイ１００が完全に拡張された位置にあるときにのみ取り付ける必要がある。
【００３３】
[0047]  上記の実施形態は例示的なものであり、本明細書のより広い教示に対する限定ではない。図示の実施形態は、トレイをＡフレーム配向に維持するためのアーム及びロック、並びにカップホルダ及びシートベルトストラップなどの複数の多様な特徴を示しているが、実施形態がこれらの追加の特徴のすべて又は一部を有するか、又は全く有さないことは、これらの教示の範囲内である。さらに、本明細書で具体的に詳述されない可能性がある当技術分野の通常技術内の変形は、それらが具体的に特許請求されていないという事実のためだけに、前述の請求項によって除外されない。
【００３４】
[0048]  利便性のために、以下の表は本明細書で使用される参照番号を列挙する。
【符号の説明】
【００３５】
１００  折り畳み式トレイ
１１０  第１ベースセクション
１１０ｉ  １１０の内部エッジ
１１０ｄ  １１０の遠位エッジ
１１０ｌ  １１０の横方向エッジ
１１４  剛性の硬い表面
１２０  第１横方向サイド部材
１２０ｉ  １２０の内部エッジ
１２０ｏ  １２０の外側エッジ
１２０ｌ  １２０の横方向エッジ
１２０ｄ  １２０の遠位エッジ
１３０  第２横方向サイド部材
１３０−  １２０と同じエッジ
１４０  第１外側サイド部材
１４０ｉ  １４０の内側エッジ
１４０ｏ  １４０の外側エッジ
１４０ｌ  １４０の横方向エッジ
１５０  第２ベースセクション
１５０−  １１０と同じエッジ
１６０  第３横方向サイド部材
１６０−  １２０と同じエッジ
１７０  第４横方向サイド部材
１７０−  １２０と同じエッジ
１８０  第２外側サイド部材
１８０−  １４０と同じエッジ
１９０  コーナーロック
１９２  ロック装置
１９４  アーム
１９４ｈ  ヒンジ端
１９４ｆ  自由端
１９４ｐ  ピン
１９６ａ  アームロック
１９６ｂ  併用ロック
１９６ｃ  収納ロック
１９８  カップストラップ
１９８ｈ  ヒンジ端
１９８ｆ  自由端
１９９  棚状突起
５０２  タブ
５０４  オス型突起
５０６  メス型受容部
３０２ａ  スライド式ブリッジ
３０２ｂ  回転式ブリッジ
３０４  ポケット
３０６  取り付けピン
９０２  シートベルトストラップ
９０２ａ  長さ調整器
９０２ｈ  穴
９０２ｔ  先端
【図１Ａ】
2021533867.tif 000003
【図１Ｂ】
2021533867.tif 000004
【図２Ａ】
2021533867.tif 000005
【図２Ｂ】
2021533867.tif 000006
【図３Ａ】
2021533867.tif 000007
【図３Ｂ】
2021533867.tif 000008
【図４Ａ】
2021533867.tif 000009
【図４Ｂ】
2021533867.tif 000010
【図５Ａ】
2021533867.tif 000011
【図５Ｂ】
2021533867.tif 000012
【図６Ａ】
2021533867.tif 000013
【図６Ｂ】
2021533867.tif 000014
【図６Ｃ】
2021533867.tif 000015
【図７】
2021533867.tif 000016
【図８Ａ】
2021533867.tif 000017
【図８Ｂ】
2021533867.tif 000018
【図８Ｃ】
2021533867.tif 000019
【図９Ａ】
2021533867.tif 000020
【図９Ｂ】
2021533867.tif 000021
【図９Ｃ】
2021533867.tif 000022
【国際調査報告】
2021533867.tif 000023
2021533867.tif 000024